(57)【特許請求の範囲】
【請求項１】
マクロｅＮＢ（ｅＮｏｄｅＢ）のセル内にあるホームｅＮＢ（ＨｅＮＢ）からユーザ装置（ＵＥ）へ直交周波数分割多重方式によって信号伝送を行う場合における、ＵＥに対するＨｅＮＢの適応的なパイロット電力の伝送方法であって、
上記ｅＮｏｄｅＢから受信したパイロット電力を上記ＨｅＮＢが検出する検出工程と、
上記検出されたパイロット電力に基づいて上記ＨｅＮＢのパイロット電力を調整することにより、上記ＵＥを対象とする上記ＨｅＮＢのカバレッジを維持する調整工程と、を含み、
上記調整工程において、第１のオフセット係数を用いて上記ＨｅＮＢのパイロット電力を調整することを特徴とする伝送方法。
【請求項２】
マクロｅＮＢ（ｅＮｏｄｅＢ）のセル内にあるホームｅＮＢ（ＨｅＮＢ）からユーザ装置（ＵＥ）へ直交周波数分割多重方式によって信号伝送を行う場合における、ＵＥに対するＨｅＮＢの適応的なパイロット電力の伝送方法であって、
上記ＨｅＮＢから上記ＵＥへの信号伝送に対して、上記ｅＮｏｄｅＢから受ける干渉を推定するための受信電力をＵＥから受信する受信工程と、
受信した上記受信電力に基づいて上記ＨｅＮＢのパイロット電力を調整することにより、上記ＵＥを対象とする上記ＨｅＮＢのカバレッジを維持する調整工程と、を含み、
上記調整工程において、第１のオフセット係数を用いて上記ＨｅＮＢのパイロット電力を調整することを特徴とする伝送方法。
【請求項３】
上記ＨｅＮＢが伝送したパイロット電力に基づいて上記ＵＥが行うＨｅＮＢの再選択処理に用いる第２のオフセット係数を、上記ＵＥに対して伝送するパラメータ伝送工程をさらに含むことを特徴とする請求項１または２に記載の伝送方法。
【発明の詳細な説明】
【技術分野】
【０００１】
本発明は、概して、通信および無線通信システムに関する。より具体的には、本発明は、
ＣＳＧ（Closed Subscriber Group）セルの再選択半径を一定に維持するシステムおよび方法に関する。すなわち、本発明は、無線通信環境においてオフセット係数を設定し、再選択範囲を一定に維持するためのシステムおよび方法に関する。
【背景技術】
【０００２】
第３世代パートナーシッププロジェクト（３ＧＰＰ：3rd Generation Partnership Project）は、第３世代システムにおける世界的に適用可能な技術仕様および技術文書を定めることを目的とする連携協定である。３ＧＰＰ  ＬＴＥ（Long Term Evolution）は、将来の要求に対応するために、ＵＭＴＳ（Universal Mobile Telecommunications system）の携帯電話または携帯デバイスの標準規格を改良するプロジェクトに与えられている名称である。３ＧＰＰは、次世代の携帯ネットワーク、携帯システムおよび携帯デバイスの仕様を定めることもできる。その一面として、ＵＭＴＳは、進化型ユニバーサル地上無線通信アクセス（ＥＵＴＲＡ：Evolved Universal Terrestrial Radio Access）および進化型ユニバーサル地上無線通信アクセスネットワーク（ＥＵＴＲＡＮ：Evolved Universal Terrestrial Radio Access Network）のサポート仕様を規定するように変更されている。３ＧＰＰ  ＬＴＥでは、携帯端末または携帯デバイスは、ＵＥ（User Equipment）と呼ばれる。また、基地局は、ｅノードＢ（eNodeB：evolved NodeB）とも呼ばれる。半自動式の基地局／フェムトセルは、ホームｅノードＢ（HeNB：home eNodeB）とも呼ばれる。
【０００３】
ＵＥは、ｅノードＢまたはホームeノードＢのいずれかと接続を確立することができる。ＵＥは、オフセット係数を用いて、接続するｅノードＢまたはホームeノードＢを切り替えることができる。例えば、接続するｅノードＢまたはホームeノードＢを切り替えるのに、Ｑ係数を用いることができる。
【０００４】
同一のプライオリティを持つ隣接する複数のセルにランク付けをする場合に、ｅノードＢまたはホームeノードＢを切り替えるためにＱ係数を用いるというコンセプトは、現在の標準規格３ＧＰＰ−ＬＥＥのリリース８において提案されている。例えば、文献１では、Ｒn＝ＱMeas,n―Ｑoffsetという式を用いて、Ｑ係数（Ｑoffset）を利用している。この式において、Ｒnはサービスを提供しているセルと同一のプライオリティを持ち該セルに隣接するＮ番目のセルのランクを表している。Ｑoffsetは、サービスを提供しているセルと該セルに隣接するＮ番目のセルとの間のオフセットを示している。ＱMeas,nは、Ｎ番目のセルについて計測されるＲＳＲＰ（参照シンボル受信電力）を示している。
【０００５】
Ｑoffsetは、システムがＲＦ（無線周波数）環境から半独立的にＵＥのモビリティを制御することを可能にする手段である。Ｑoffsetによって、ＵＥに、現在キャンプオンしているセル以外の適切なセルを選択させたり、現在キャンプオンしているセル以外の適切なセルを選択させないようにしたりすることができる。
【０００６】
ＵＥが２つ（または３つ以上）のｅノードＢから信号を受信できるようなＲＦ環境内にある場合、受信信号が略等価になるという状況になり得る。このような一般的な位置にある（すなわち信号強度が略等しい）ＵＥがあるｅノードＢを別のｅノードＢよりも優先することをシステムオペレータが希望する場合、システムオペレータは、２つのセルの間にＱoffsetを指定してもよい。ＵＳの再選択アルゴリズムによって評価される受信信号強度に差がある場合、適用されるＱoffsetによって、所望するｅノードＢがより選択されやすくなるよう結果が調整されることになる。
【先行技術文献】
【非特許文献】
【０００７】
【非特許文献１】３６．３０４  第３世代パートナーシッププロジェクト；技術仕様グループ無線アクセスネットワーク；進化型ユニバーサル地上無線通信アクセスネットワーク；アイドルモードにおけるユーザ装置（ＵＥ）の手続（リリース９）
【発明の概要】
【発明が解決しようとする課題】
【０００８】
セルを通じて一定のＱ係数を用いると、セル内のホームeノードＢ毎に伝送距離が異なるという結果が生じ得る。セル内の各eノードＢの伝送距離を一様にすることによって、改良することができる。
【課題を解決するための手段】
【０００９】
本発明の第１の態様によれば、無線通信システムにおいて２つの基地局の間でオフセット係数を自動設定する設定方法が提供される。上記設定方法は、第１の基地局が第１のユーザ装置（ＵＥ）に第１のオフセット係数を送信する第１の送信工程であって上記第１のオフセット係数がホームｅノードＢ（ＨｅＮＢ）の周囲の再選択領域を示す第１の送信工程と、第２のＵＥから第２のオフセット係数を受信する受信工程と、上記第２のオフセット係数を用いて上記第１のオフセット係数を変更する変更工程と、変更後の第１のオフセット係数を上記第１のＵＥに送信する第２の送信工程と、を含んでいる。
【００１０】
本発明の第２の態様によれば、セル内にあるホームｅノードＢ（ＨｅＮＢ）の再選択領域を一定に維持する適応的なパイロット電力の伝送方法が提供される。上記伝送方法は、上記ＨｅＮＢの周囲の再選択領域を示すオフセット係数と上記ＨｅＮＢのパイロット電力とを用いて、上記ＨｅＮＢの周囲に上記再選択領域を規定する領域規定工程と、上記ＨｅＮＢとｅノードＢ（ｅＮｏｄｅＢ）との間における経路損失を推定する損失推定工程と、セル内のＨｅＮＢの再選択領域が一定に維持されるように、推定された上記経路損失を用いて上記ＨｅＮＢのパイロット電力を更新する更新工程と、を含んでいる。
【００１１】
本発明の第３の態様によれば、無線通信システムに利用される基地局が提供される。上記基地局は、第１のユーザ装置（ＵＥ）に第１のオフセット係数を送信する送信ユニットと、第２のＵＥから第２のオフセット係数を受信する受信ユニットと、上記第２のオフセット係数を用いて上記第１のオフセット係数を変更する変更ユニットと、変更後の第１のオフセット係数を上記第１のＵＥに送信する送信ユニットと、を備え、上記第１のオフセット係数は、ホームｅノードＢ（ＨｅＮＢ）の周囲の再選択領域を示す。
【００１２】
本発明の第４の態様によれば、無線通信システムに利用されるホームｅノードＢ（ＨｅＮＢ）が提供される。上記ホームｅノードＢは、上記ＨｅＮＢの周囲の再選択領域を示すＱ係数と上記ＨｅＮＢのパイロット電力とを用いて、上記ＨｅＮＢの周囲に上記再選択領域を規定する規定ユニットと、上記ＨｅＮＢとｅノードＢ（ｅＮｏｄｅＢ）との間における経路損失を推定する推定ユニットと、セル内のＨｅＮＢの再選択領域が一定に維持されるように、推定された上記経路損失を用いて上記ＨｅＮＢのパイロット電力を更新する更新ユニットと、を備えている。
【００１３】
本発明の第５の態様によれば、無線通信システムが提供される。上記無線通信システムは、上記基地局および上記ホームｅノードＢのいずれかと、ユーザ装置（ＵＥ）と、を含んでいる。
【００１４】
本発明に係る上述あるいはその他の目的、特徴、および利点は、添付の図面と併用して次の発明の詳細な説明を考慮すれば、すぐに理解できるであろう。
【図面の簡単な説明】
【００１５】
【図１】図１は、本システムおよび本方法を実施することが可能な無線通信システムを示す図である。
【図２】図２は、ＵＥによるホームｅノードＢからｅノードＢへ（またはｅノードＢからホームｅノードＢへ）の切り替えが生じ得る無線通信システムを示すブロック図である。
【図３】図３は、１つのｅノードＢ、１つのホームｅノードＢ、および２つのＵＥを含んでいる無線通信システムのブロック図である。
【図４】図４は、無線通信システムにおいて、２つの基地局の間でＱ係数を自動設定する方法を示すフロー図である。
【図５】図５は、ｅノードＢとホームｅノードＢとの間でＱ係数を自動設定する方法のフロー図である。
【図６】図６は、１つのｅノードＢ、複数のホームｅノードＢ、および複数のＵＥを含んでいる無線通信システムのブロック図である。
【図７】図７は、セル内のホームｅノードＢの伝送距離を一定にする適応的なパイロット電力送信の方法を示すフロー図である。
【図８】図８は、セル内のホームｅノードＢの伝送距離を一定にする適応的なパイロット電力送信の別の方法を示すフロー図である。
【図９】図９は、セル内のホームｅノードＢの伝送距離を一定にする適応的なパイロット電力送信の別の方法を示すフロー図である。
【図１０】図１０は、ホームｅノードＢの構成要素および設定を示すブロック図である。
【図１１】図１１は、記載されているシステムおよび方法の一形態に係る無線通信装置のブロック図である。
【発明を実施するための形態】
【００１６】
無線通信システムにおいて２つの基地局の間でオフセット係数を自動設定する設定方法が開示されている。第１の基地局が第１のユーザ装置（ＵＥ）に第１のオフセット係数を送信する。オフセット係数は、ホームｅノードＢ（ＨｅＮＢ）の周囲の再選択領域を示すものである。第２のオフセット係数は第２のＵＥから受信する。上記第１のオフセット係数は上記第２のオフセット係数を用いて変更される。変更後の第１のオフセット係数は上記第１のＵＥに送信される。
【００１７】
オフセット係数はＱ係数のスーパーセットであり、ＵＥがキャンプオンしている隣接セルについて計測される信号強度を調整する無次元数である。
【００１８】
上記第１のオフセット係数は第１のＱ係数であってもよく、上記第２のオフセット係数は第２のＱ係数であってもよい。上記第１の基地局はＨｅＮＢであってもよい。上記第１のＱ係数は、上記第１の基地局の周囲の再選択領域を示すＱ係数であってもよい。上記第２のＵＥは、上記第２のＱ係数をｅノードＢ（ｅＮｏｄｅＢ）から受信してもよい。上記第２のＱ係数は、上記第１の基地局の周囲の再選択領域を示すＱ係数であってもよい。
【００１９】
上記第２のＵＥは、上記第２の基地局に接続したときに上記第２のＱ係数を第２の基地局から受信してもよい。上記第２のＵＥから上記第２のＱ係数を受信する上記受信工程は、上記第２のＵＥが上記第１の基地局への接続を開始した後に行われてもよい。
【００２０】
上記第２のＵＥは、上記第１の基地局に接続するときにブロードキャストチャンネルを通じて第２の基地局から上記第２のＱ係数を受信してもよく、上記第２のＵＥは、上記第１の基地局に接続している間、上記第２の基地局を定期的にモニタリングしてもよい。
【００２１】
上記第２のＵＥは、上記第２のＱ係数を第２の基地局から受信してもよい。上記第２の基地局はＨｅＮＢであってもよい。上記第２のＱ係数は、上記第２の基地局の周囲の再選択領域を示すＱ係数であってもよい。上記再選択領域は、上記変更後の第１のＱ係数を用いて、上記第１の基地局の周囲に再規定されてもよい。
【００２２】
上記第１の基地局はｅノードＢ（ｅＮｏｄｅＢ）であってもよい。上記第１のＱ係数は、上記ｅＮｏｄｅＢのセル内にある上記再選択領域を示すＱ係数であってもよい。上記第２のＱ係数は上記ＨｅＮＢから受信してもよい。上記第２のＱ係数は、上記ＨｅＮＢの周囲の再選択領域を示すＱ係数であってもよい。
【００２３】
上記第１のＵＥは上記第１の基地局に接続してもよい。上記第２のＵＥは第２の基地局に接続してもよい。
【００２４】
上記設定方法は、上記変更工程にて上記第２のＱ係数を用いて上記第１のＱ係数を変更する前に、所定の期間待機する待機工程をさらに含んでいてもよい。上記第２のＱ係数を用いて上記第１のＱ係数を変更する上記変更工程は、上記第１のＱ係数と上記第２のＱ係数とを組み合わせて用いることにより更新されたＱ係数を得る工程を含んでいてもよい。
【００２５】
セル内にあるホームｅノードＢ（ＨｅＮＢ）の伝送距離を一定に維持する適応的なパイロット電力の伝送方法が開示されている。オフセット係数とＨｅＮＢのパイロット電力とは、上記ＨｅＮＢの周囲に上記再選択領域を規定するために使用される。オフセット係数は、ＨｅＮＢの周囲の再選択領域を示す。上記ＨｅＮＢとｅノードＢ（ｅＮｏｄｅＢ）との間における経路損失が推定される。セル内のＨｅＮＢの再選択領域が一定に維持されるように、上記ＨｅＮＢのパイロット電力は推定された上記経路損失を用いて更新される。
【００２６】
上記ｅＮｏｄｅＢのパイロット信号が検出されてもよい。上記ｅＮｏｄｅＢのパイロット信号によってユーザ装置（ＵＥ）が受ける干渉が推定されてもよい。上記干渉は、上記ＨｅＮＢと上記ｅＮｏｄｅＢとの間における上記経路損失を推定するために用いられてもよい。
【００２７】
上記ＨｅＮＢに接続している１台以上のユーザ装置（ＵＥ）であって上記ＨｅＮＢの上記再選択領域の内部にある１台以上のユーザ装置との接続は維持されてもよい。上記１台以上のＵＥから上記ＨｅＮＢと上記ｅＮｏｄｅＢとの離間距離を受信してもよい。上記ＨｅＮＢと上記ｅＮｏｄｅＢとの間における上記経路損失を推定するために、上記ＨｅＮＢと上記ｅＮｏｄｅＢとの上記離間距離を用いてもよい。
【００２８】
上記１台以上のＵＥから、上記受信したｅＮｏｄｅＢ信号の信号強度を受信してもよい。上記ＨｅＮＢと上記ｅＮｏｄｅＢとの間における上記経路損失を推定するために、上記受信したｅＮｏｄｅＢ信号の信号強度を用いてもよい。
【００２９】
無線通信システムに利用される基地局が開示されている。上記基地局は、プロセッサと、上記プロセッサとの間で電子通信を行うメモリと、を備えている。実行可能な命令が上記メモリに格納されている。第１のオフセット係数は第１のユーザ装置（ＵＥ）に送信される。オフセット係数はホームｅノードＢ（ＨｅＮＢ）の周囲の再選択領域を示す。第２のオフセット係数は第２のＵＥから受信する。上記第１のオフセット係数は上記第２のオフセット係数を用いて変更される。上記変更後の第１のオフセット係数は上記第１のＵＥに送信される。
【００３０】
無線通信システムに利用されるホームｅノードＢ（ＨｅＮＢ）が開示されている。上記ＨｅＮＢは、プロセッサと、上記プロセッサとの間で電子通信を行うメモリと、を備えている。上記メモリには実行可能な命令が格納されている。上記ＨｅＮＢの周囲に再選択領域を規定するためにＱ係数と上記ＨｅＮＢのパイロット電力とが使用される。Ｑ係数は上記ＨｅＮＢの周囲の再選択領域を示す。上記ＨｅＮＢとｅノードＢ（ｅＮｏｄｅＢ）との間における経路損失が推定される。セル内のＨｅＮＢの再選択領域が一定に維持されるように、推定された上記経路損失を用いて上記ＨｅＮＢのパイロット電力が更新される。
【００３１】
本システムおよび本方法は、上記無線ネットワークによって使用される物理層の接続技術とは無関係に動作してもよい。アクセス技術の例としては、直交周波数分割多重（ＯＦＤＭ）、周波数分割多元接続（ＦＤＭＡ）、時分割多元接続（ＴＤＭＡ）、および符号分割多元接続（ＣＤＭＡ）が挙げられる。さらに、本システムおよび本方法は、システムが全二重であるか半二重であるかに関係なく動作してもよい。
【００３２】
例示のために、本システムおよび本方法を、３ＧＰＰ  ＬＴＥシステムに関連して説明する。ただし、ＩＥＥＥ８０２．１６（ｅ、ｍ）、ＷＩＭＡＸシステム、半自動式の基地局の利用が必要とされるその他のシステムのような、３ＧＰＰ  ＬＴＥシステム以外の通信システムにおいても、本システムおよび本方法を利用することができる。
【００３３】
図１は、本システムおよび本方法が実施可能な無線通信システム１００を示す図である。基地局は、ＵＥ（User Equipment）１０４とも呼ばれる。セルラー無線通信システム１００では、中央基地局は、ｅノードＢ（ｅＮｏｄｅＢ）１０２とも呼ばれる。ｅノードＢ１０２は、１台以上のＵＥ１０４（移動局、ユーザデバイス、通信デバイス、加入者装置、アクセス端末、端末等とも呼ばれる）と無線通信を行うことができる。
【００３４】
ｅノードＢ１０２は、自身の周辺の所定地域（セルと呼ばれる）をカバーするような実際の通信を、無線インターフェースを通じて処理することができる。ｅノードＢ１０２は、セクタリングに応じて、１台のｅノードＢ１０２は、１または複数のセルを提供することができる。したがって、ｅノードＢ１０２は、ＵＥ１０４の位置に応じて、１台以上のＵＥをサポートすることができる。ＵＥ１０４は、ｅノードＢ１０２またはホームｅノードＢ（ＨｅＮＢ）１０６と接続を確立することができる。ＵＥ１０４がｅノードＢ１０２との接続を確立している場合、「ＵＥ１０４がｅノードＢ１０２に接続している」と言ってもよい。また、ＵＥ１０４がホームｅノードＢ１０６との接続を確立している場合、「ＵＥ１０４がホームｅノードＢ１０６に接続している」と言ってもよい。ｅノードＢ１０２またはホームｅノードＢ１０６に接続しているＵＥ１０４は、いくつかの動作モードを備えてもよい。例えば、ＵＥ１０４は、アイドルモードまたは接続モードで動作してもよい。
【００３５】
アイドルモードで動作するＵＥ１０４には、ＵＥが接続している基地局にデータをブロードキャストするためのデータチャンネルのリソースが割り当てられない。ただし、アイドルモードで動作するＵＥ１０４は、セルのブロードキャストチャンネルをモニタリングしてもよい。セル内においてアイドルモードで動作しているＵＥ１０４は、「セルにキャンプオンしている」と言われる。アイドルモードで動作しているＵＥ１０４が、接続する基地局を、ある基地局から別の基地局に切り替える場合、そのプロセスは再選択と呼ばれる。
【００３６】
接続モードで動作するＵＥ１０４には、ＵＥ１０４がセルにデータを送信したりセルからデータを受信したりすることを可能にするデータチャンネルのリソースが割り当てられる。ＵＥ１０４が接続モードでｅノードＢ１０２と協働しているとき、ＵＥ１０４は、データの送受信を行うために異なるセルを選択することができる。このプロセスは、ハンドオーバーまたはハンドオフと呼ばれる。
【００３７】
一形態では、ｅノードＢ１０２は、３ＧＰＰ（リリース８）のＬＴＥ（Long Term Evolution）の無線インターフェースを備えており、通信システム１００の無線リソースを管理する。３ＧＰＰは、上記セルの構成に加え、セル内の複数の小領域を、半自立的な複数の基地局によって制御することができる。基地局はホームノードＢ（ＨｅＮＢ）１０６として知られ、ホームノードＢ１０６はフェムトセルとも呼ばれる。ホームノードＢ１０６は、ＣＳＧ（Closed Subscriber Group）として知られるプライベートグループの一部である１以上のＵＥ１０４との間で通信を行うことができる。ＵＥ１０４は、ｅノードＢ１０２またはホームｅノードＢ１０６に接続してもよい。ＣＳＧの一部であるＵＥ１０４は、切り替えを必要とするような状況において、ｅノードＢ１０２から上記ＣＳＧに関連するホームｅノードＢ１０６へと接続先を切り替えることができる。上述したように、上記切り替えは、再選択とも呼ばれる。ＵＥ１０４は、切り替えを必要とするような状況において、接続先をホームｅノード１０６からｅノードＢ１０２へと切り替えることもできる。
【００３８】
無線通信システム１００は、１以上のｅノードＢ１０２と１以上のホームｅノードＢ１０６を含んでいてもよい。さらに、無線通信システム１００は、１台以上のＵＥ１０４を含んでいてもよい。
【００３９】
ｅノードＢ１０２は、１台以上のＵＥ１０４と通信を行うことができる。ｅノードＢ１０２は、無線周波数（ＲＦ）通信チャンネルを通じて、ＵＥ１０４との間でデータの送受信を行うことができる。同様に、ホームｅノードＢ１０６は、１台以上のＵＥ１０４と通信を行うことができる。また、ホームｅノードＢ１０６は、ＲＦ通信チャンネルを通じて、ＵＥ１０４との間でデータの送受信を行うことができる。ｅノードＢ１０２は、有線または無線の手段を用いて、１以上のホームｅノードＢ１０６との間で通信を行うことができる。一方、ホームｅノードＢ１０６は、コアネットワークを通じて、たかだか１つのｅノードＢ１０２とだけ通信を行うことができる。３ＧＰＰ（リリース８）のＬＴＥ（Long Term Evolution）は、ｅノードＢ１０４とホームｅノードＢ１０６との間における無線による直接接続をサポートしていないが、このような接続は、将来の３ＧＰＰのＬＴＥのリリースにおいてサポートが可能になるかもしれない。
【００４０】
ＵＥ１０４があるホームｅノードＢ１０６のＣＳＧに属している場合、ｅノードＢ１０２と対照的に、ＵＥ１０４は、上記特定のホームｅノードＢ１０６に接続することが望ましい。ＵＥ１０４がホームｅノードＢ１０６からｅノードＢ１０２に接続先を切り替える手続は、ＵＥが接続モードにある場合にはハンドオーバーまたはハンドオフとも呼ばれる。ハンドオーバーは、コアネットワークの支援を必要とする場合がある。ＵＥ１０４は、音声またはデータを送信または受信しているときには接続モードであり得る。アイドルモードにあるＵＥ１０４が接続先をｅノードＢ１０２からホームｅノードＢ１０６に（またはホームｅノードＢ１０６からｅノードＢ１０２に）切り替える手続は、再選択とも呼ばれる。
【００４１】
図２は、ｅノードＢ２０２、ＵＥ２０４、およびホームｅノードＢ２０６を含む無線通信システム２００のブロック図を示している。ホームｅノードＢ２０６は、周囲の再選択領域２１６を定めることができる。また、ｅノードＢ２０２は、ホームｅノードＢ２０６の周囲の再選択領域２１８を定めることができる。ホームｅノードＢ２０６とｅノードＢ２０２とが定めるホームｅノードＢ２０６の周囲の再選択領域は、異なっていてもよいが同一であることが望ましい。無線通信システム２００は、複数のホームｅノードＢ２０６を含んでいてもよい。
【００４２】
ホームｅノードＢ２０６は、半径がｒHeNB２１２である円の中心に位置していてもよい。半径がｒHeNB２１２である円の内部領域は、HeNB再選択領域２１６とも呼ばれる。HeNB再選択領域２１６は、再選択を行うことが望ましいホームｅノードＢ２０６とＵＥ２０４との間の距離を定めることができる。例えば、ＵＥ２０４は、HeNB再選択領域２１６の外側にあるときに、ｅノードＢ２０２にキャンプオンしてもよい。ＵＥ２０４がHeNB再選択領域２１６の内側に移動すると接続先をｅノードＢ２０２からホームｅノードＢ２０６に再選択する（すなわち、切り替える）ことが必要となっていてもよい。同様に、ＵＥ２０４がHeNB再選択領域２１６の内側から外側に移動すると接続先をホームｅノードＢ２０６からｅノードＢ２０２に切り替えることが必要となっていてもよい。実際には、一定のＲＳＳＩ／ＲＳＲＰを持つｅノードＢまたはホームｅノードＢの周囲の領域の形状は任意であってもよく、選択／再選択の領域は、所定の位置におけるＲＳＳＩまたはＲＳＲＰに応じた領域であってもよい。３ＧＰＰ（リリース８）のＬＴＥ（Long Term Evolution）は、接続モードにあるときに接続先がｅノードＢ２０２からホームｅノードＢ２０６に切り替わるようなＵＥ２０４を規定していないが、将来の３ＧＰＰリリースでは、この機能が認められるかもしれない。
【００４３】
ＵＥ２０４は、オフセット係数を用いて再選択がいつ必要となるかを決定することができる。オフセット係数は、ホームｅノードＢの周囲の再選択領域を示すものである。例えば、ＵＥ２０４は、再選択がいつ必要となるかを決定するためにＱ係数のようなオフセット係数を用いる。Ｑ係数は、３ＧＰＰ  ＬＴＥの無線インターフェース規格に特有なオフセット係数であってもよい。Ｑ係数は、ＵＥ２０４がHeNB再選択領域の範囲内にあるかを判定することを支援する。ＵＥ２０４は、ＵＥ２０４のＱ係数がまだ更新されていない場合には、古いＱ係数を用いてもよい。Ｑ係数は、各ホームｅノードＢ２０６の内部パラメータであってもよい。ＵＥ２０４は、ホームｅノードＢ２０６を再選択するとすぐに、ホームｅノードＢ２０６から更新されたＱ係数（ＱHeNB）を受け取ってもよい。再選択はＲＳＳＩHeNB＋Ｑ≧ＲＳＳＩeNBが成立する場合に必要となってもよい。ここで、ＲＳＳＩHeNBはＵＥ２０４におけるホームｅノードＢ２０６からの受信信号の強度表示（ＲＳＳＩ、単位ｄＢ）であり、ＲＳＳＩeNBはＵＥ２０４におけるｅノードＢ２０２からの受信信号のＲＳＳＩ（単位ｄＢ）である。再選択は、ある周波数における測定結果であるＲＳＳＩの代わりに、あるセルにおける測定結果である基準信号受信電力（ＲＳＲＰ）に基づいて行われてもよい。以下のすべての計算においてＲＳＳＩの代わりにＲＳＲＰが用いられてもよい。ＲＳＳＩおよびＲＳＲＰは、ＵＥ２０４の受信強度表示であってもよい。Ｑ係数は、ｄＢを単位とする値であってもよい。Ｑ係数は、セル内で一定であるのではなく、セル内におけるホームｅノードＢ２０６の位置に応じたものであってもよい。
【００４４】
ｅノードＢ２０２は、各ホームｅノードＢ２０６のＱ係数（ＱeNodeB２１０ａ）を格納していてもよい。ｅノードＢ２０２は、セル内の各ホームｅノードＢ２０６について一意なＱ係数を格納してもよい。ｅノードＢ２０２およびホームｅノードＢ２０６は、それぞれ、ホームｅノードＢ２０６の周囲の再選択領域を定めるために異なるＱ係数を用いてもよい。ｅノードＢ２０２およびホームｅノードＢ２０６が使用すべきＱ係数を調整しない場合、ｅノードＢ２０２およびホームｅノードＢ２０６がそれぞれ規定するホームｅノードＢ２０６の周囲の再選択領域は、異なっていてもよい。したがって、ホームｅノードＢ２０６は、２つの再選択領域を持ち得る。第１の再選択領域２１６は、ホームｅノードＢ２０６を中心とする第１の半径ｒHeNB内の領域であってもよい。第１の再選択領域２１６は、ＱHeNB２０８ｂによって定めてもよい。第２の再選択領域２１８は、ホームｅノードＢ２０６を中心とする第２の半径ｒeNodeB内の領域であってもよい。第２の再選択領域２１８は、ＱeNodeB２１０ａによって定めてもよい。
【００４５】
ＵＥ２０４は、ホームｅノードＢ２０６またはｅノードＢ２０２のいずれかに接続してもよい。接続の際に、ＵＥ２０４は、ホームｅノードＢ２０６またはｅノードＢ２０２からＱ係数を受け取ってもよい。例えば、ＵＥ２０４がホームｅノードＢ２０６への接続を開始するときに、ＵＥ２０４は、ホームｅノードＢ２０６からＱHeNB２０８ｂを受信してもよい。同様に、ＵＥ２０４がｅノードＢ２０２への接続を開始するときに、ＵＥ２０４は、ｅノードＢ２０２からＱeNodeB２１０ａを受信してもよい。
【００４６】
ＱHeNB２０８ｂおよびＱeNodeB２１０ａが調整されない場合、ＵＥ２０４は、接続先をホームｅノードＢ２０６およびｅノードＢ２０２の一方から他方へと繰り返し切り替えてもよい。さもなければ、カバレッジに隙間が生じ得る。ホームｅノードＢ２０６は、Ｑ係数（ＱHeNB２０８ｂ）に応じた半径ｒHeNB２１２を用いて、ホームｅノードＢ２０６の周囲の再選択領域２１６を規定する。また、ｅノードＢ２０２は、Ｑ係数（ＱeNodeB２１０ａ）に応じた半径ｒeNodeB２１４を用いて、ホームｅノードＢ２０６の周囲に再選択領域２１８を規定する。ｅノードＢ２０２に接続しているＵＥ２０４はＱ係数（ＱeNodeB２１０ａ）を用いてもよく、ホームｅノードＢ２０６に接続しているＵＥ２０４はＱ係数（ＱHeNB２０８ｂ）を用いてもよい。
【００４７】
半径ｒeNodeB２１４が半径ｒHeNB２１２よりも大きい場合、ｅノードＢ２０２に接続しているＵＥ２０４は、半径ｒeNodeB２１４の範囲に入るとすぐに、接続先をホームｅノードＢ２０６に切り替えてもよい（すなわち再選択してもよい）。再選択の後にＵＥ２０４がホームｅノードＢ２０６の範囲に入ると、ＵＥ２０４は、ホームｅノードＢ２０６からＱHeNB２０８ｂを受け取ってもよい。ＵＥ２０４がホームｅノードＢ２０６の範囲の外側にあるが半径ｒeNodeB２１４の範囲内にある場合、ＵＥ２０４はカバレッジの隙間に位置している可能性がある。カバレッジの隙間では、ＵＥ２０４は、ホームｅノードＢ２０６にもｅノードＢ２０２にも接続していない。
【００４８】
繰り返し再選択を行うこと、および／または、ＵＥ２０４がカバレッジの隙間に位置することを避けるために、ＱHeNB２０８ｂおよびＱeNodeB２１０ａを調整してもよい。ホームｅノードＢ２０６は、ｅノードＢ２０２からのＱeNodeB２１０ａの伝送を検知できないことがある。同様に、ｅノードＢ２０２は、ホームｅノードＢ２０６からのＱHeNB２０８ｂの伝送を検知できないことがある。ＱHeNB２０８ｂおよびＱeNodeB２１０ａを調整するためにコアネットワークを使用すると、コアネットワークに不要な負荷が生じ得る。ｅノードＢ２０２およびホームｅノードＢ２０６は、コアネットワークに頼ることなく自動的に、ＱHeNB２０８ｂおよびＱeNodeB２１０ａを調整してもよい。
【００４９】
図３は、１つのｅノードＢ３０２、１つのホームｅノードＢ３０６、および２台のＵＥ３０４を含む無線通信システム３００のブロック図である。第１のＵＥ３０４ａはｅノードＢ３０２に接続してもよく、第２のＵＥ３０４ｂはホームｅノードＢ３０６に接続してもよい。第２のＵＥ３０４ｂは、ホームｅノードＢ３０６の再選択領域３１６の内部にあってもよい。ホームｅノードＢ３０６は、ｅノードＢ３０２のセル３２０の内部に位置していてもよい。第１のＵＥ３０４ａは、ｅノードＢ３０２およびホームｅノードＢ３０６の両方から信号を受信することができるようになっていてもよい。同様に、第２のＵＥ３０４ｂは、ホームｅノードＢ３０６およびｅノードＢ３０２の両方から信号を受信することができるようになっていてもよい。したがって、第１のＵＥ３０４ａがｅノードＢ３０２からＱeNodeB２１０ａを受信し、第２のＵＥ３０４ｂがホームｅノードＢ３０６からＱHeNB２０８ｂを受信するようになっていてもよい。
【００５０】
第１のＵＥ３０４ａはｅノードＢ３０２に接続しているので、第１のＵＥ３０４ａは、Ｑ係数としてＱeNodeB２１０ａを使用してもよい。ただし、第１のＵＥ３０４ａはすでにホームｅノードＢ３０６からＱHeNB２０８ｂを受信済みかもしれない。例えば、第１のＵＥ３０４ａが以前にホームｅノードＢ３０６に接続したことがあり、その結果、ホームｅノードＢ３０６からＱHeNB２０８ｂを受信したかもしれない。あるいは、第１のＵＥ３０４ａは、信号強度を測定するために同調先をｅノードＢ３０２からホームｅノードＢ３０６へと変更する動作を定期的に行ってもよい。第１のＵＥ３０４ａは、接続先を一時的にｅノードＢ３０２からホームｅノードＢ３０６へと切り替えることにより、同調先をｅノードＢ３０２からホームｅノードＢ３０６へと変更してもよい。第１のＵＥ３０４ａは、ｅノードＢ３０２に同調していない間にホームｅノードＢ３０６からブロードキャストチャンネルを通じてＱHeNB２０８ｂを受信してもよい。第１のＵＥ３０４ａは、自身にＱHeNB２０８ｂを格納してもよい。第１のＵＥ３０４ａは、ＱHeNB２０８ｂを受信するとすぐに、第１のＵＥ３０４ａが使用するＱ係数を変更および／または更新してもよい。第１のＵＥ３０４ａは、ｅノードＢ３０２からのリクエストに応じてＱHeNB２０８ｂをｅノードＢ３０２に送信してもよい。送信は、定期的に、または、他の種類のトリガによって行われてもよい。
【００５１】
第２のＵＥ３０４ｂはホームｅノードＢ３０６に接続しているので、第２のＵＥ３０４ｂは、Ｑ係数としてＱHeNB２０８ｂを使用してもよい。第２のＵＥ３０４ｂは、ｅノードＢ３０２からＱHeNB２０８ｂを受信してもよい。例えば、第２のＵＥ３０４ｂは、定期的に、同調先をホームｅノードＢ３０６からｅノードＢ３０２または別のホームｅノードＢへと変更して、信号強度を計測してもよい。第２のＵＥ３０４ｂは、ホームｅノードＢ３０６に同調していない間にｅノードＢ３０２または別のホームｅノードＢからブロードキャストチャンネルを通じてＱeNodeB２１０ａを受信してもよい。あるいは、第２のＵＥ３０４ｂは、以前に、ｅノードＢ３０２に接続していたかもしれないので、すでにｅノードＢ３０２からＱeNodeB２１０ａを受信済みかもしれない。第２のＵＥ３０４ｂは、ＱeNodeB２１０ａを受信するとすぐに、第２のＵＥ３０４ｂが使用するＱ係数を変更および／または更新してもよい。第２のＵＥ３０４ｂはＱeNodeB２１０ａを格納するとともに、ＱeNodeB２１０ａをホームｅノードＢ３０６に転送してもよい。
【００５２】
３ＧＰＰ（リリース８）のＬＴＥでは、基地局に接続しているＵＥは、その基地局にのみ情報を送信することを可能としてよい。ただし、３ＧＰＰ  ＬＴＥの将来のリリースでは、基地局に接続しているＵＥ３０４は、ホームｅノードＢ３０６および／またはｅノードＢ３０２といった近くにある他の基地局に情報を送信可能になるかもしれない。
【００５３】
ｅノードＢ３０２は、一度、第１のＵＥ３０４ａからＱHeNB２０８を受信していれば、ｅノードＢ３０２は、ＱHeNB２０８を使用してＱeNodeB２１０を変更および／または更新することができる。あるいは、ｅノードＢ３０２は、変更および／または更新されたＱ係数を第１のＵＥ３０４ａから受信してもよい。同様に、ホームｅノードＢ３０６は、一度、第２のＵＥ３０４ｂからＱeNodeB２１０を受信していれば、ホームｅノードＢ３０６は、ＱeNodeB２１０を使用してＱHeNB２０８を変更および／または更新することができる。あるいは、ホームｅノードＢ３０６は、変更および／または更新されたＱ係数を第２のＵＥ３０４ｂから受信してもよい。ｅノードＢ３０２およびホームｅノードＢ３０６は両方とも、タイマー割り込みを用いて、Ｑ係数のフィードバックを第２のＵＥ３０４ｂから受信する期間を定めてもよい。また、ｅノードＢ３０２およびホームｅノードＢ３０６は両方とも、タイマー割り込みを用いて、現在のＱ係数が更新される時刻を決定してもよい。
【００５４】
図４は、無線通信システム内の２つの基地局の間でＱ係数を自動設定する方法４００を示すフロー図である。２つの基地局の一方または両方は、ホームｅノードＢ３０６であってもよい。したがって、Ｑ係数を自動設定する方法４００を使用して、隣接するホームｅノードＢ３０６の間でＱ係数を設定してもよい。２つの基地局の一方は、ｅノードＢ３０２であってもよい。第１の基地局は、第１のＱ係数を第１のＵＥ３０４に送信（４０２）してもよい。第１のＱ係数を用いてホームｅノードＢ３０６の再選択領域を定めてもよい。第１の基地局がｅノードＢ３０２である場合には、第１のＱ係数を用いて近くにあるホームｅノードＢ３０６の再選択領域を定めてもよい。第１の基地局がｅノードＢ３０２である場合には、第１の基地局は、各Ｑ係数がｅノードＢのセル３２０の内部にあるホームｅノードＢ３０２に関連しているいくつかのＱ係数を持っていてもよい。
【００５５】
第１の基地局は、ブロードキャストチャンネルを通じて第１のＱ係数を第１のＵＥ３０４に送信（４０２）してもよい。あるいは、第１の基地局は、専用の信号伝送を用いて、第１のＱ係数を第１のＵＥ３０４に送信（４０２）してもよい。第１のＵＥ３０４は、第２の基地局に接続してもよい。そして、第１の基地局は、第２の基地局３０４から第２のＱ係数を受信（４０４）してもよい。第２のＵＥ３０４は、第１の基地局に接続してもよい。そして、第１の基地局は、所定の期間待機（４０６）してもよく、上記所定の期間だけ待機した後に、第２の係数を用いて第１のＱ係数を変更（４０８）してもよい。そして、第１の基地局は、変更済みの第１のＱ係数を第１のＵＥ３０４に送信（４１０）してもよい。
【００５６】
図５は、ホームｅノードＢ３０６とｅノードＢ３０２との間で自動的にＱ係数を設定する方法５００のフロー図である。ホームｅノードＢ３０６は、第１のＱ係数を用いて、ホームｅノードＢ３０６の周囲にホームｅノードＢ３０６に再選択されることが望ましい領域３１６を規定（５０２）してもよい。規定された再選択領域３１６の内部にある１つ以上のＵＥ３０４は、ホームｅノードＢ３０６に接続してもよい。
【００５７】
そして、ホームｅノードＢ３０６は、第１のＱ係数を１つ以上のＵＥ３０４にブロードキャスト（５０６）してもよい。ホームｅノードＢ３０６は、第１のＱ係数をホームｅノードＢ３０６に接続している１つ以上のＵＥ３０４にブロードキャスト（５０６）してもよい。ホームｅノードＢ３０６に接続しているＵＥに加え、さらに他のＵＥも、ブロードキャストされた第１のＱ係数を受信してもよい。第１のＱ係数は、該Ｑ係数の送信元を示す表示を含んでいてもよい。例えば、第１のＱ係数は、第１のＱ係数をホームｅノードＢ３０６に関連付ける情報を含んでいてもよい。
【００５８】
ホームｅノードＢ３０６は、ＵＥ３０４がホームｅノードＢ３０６への接続を開始する時点において、明示的に第１のＱ係数をＵＥ３０４に送信してもよい。あるいは、ホームｅノードＢ３０６は、ホームｅノードＢ３０６がＱ係数を決定した後の任意の時点で第１のＱ係数をＵＥ３０４に送信してもよい。ホームｅノードＢ３０６は、ブロードキャストチャンネルを用いて第１のＱ係数の値を送信（５０６）してもよい。あるいは、ホームｅノードＢ３０６は、専用の信号伝送によって、第１のＱ係数の値を送信（５０６）してもよい。ＵＥ３０４は、接続モードおよび／またはアイドルモードにおいて、ブロードキャストチャンネルを通じて第１のＱ係数を受信してもよい。ブロードキャストチャンネルの中身は、システムパラメータに関するものであってもよい。
【００５９】
ホームｅノードＢ３０６は、１つ以上のＵＥ３０４から第２のＱ係数を受信（５０８）してもよい。ホームｅノードＢ３０６は、ホームｅノードＢ３０６に接続している１つ以上のＵＥ３０４から第２のＱ係数を受信（５０８）してもよい。第２のＱ係数は、該Ｑ係数の送信元の表示を含んでいてもよい。例えば、第２のＱ係数は、第２のＱ係数をｅノードＢ３０２に関連づける情報を含んでいてもよい。ＵＥ３０４は、以前にｅノードＢ３０２に接続したときに、第２のＱ係数をｅノードＢ３０２から受信済みかもしれない。
【００６０】
ホームｅノードＢ３０６は、遅延処理（５１０）を一定の期間行ってもよい。ホームｅノードＢ３０６は、タイマーを用いて遅延処理（５１０）を行う時間帯を定めてもよい。タイマーは第２の基地局に合わせられていてもよい。例えば、タイマーは、コアネットワークを通じて第２の基地局に合わせられていてもよい。ホームｅノードＢ３０６は、第１のＱ係数と第２のＱ係数とを組み合わせて用いることによって、第１のＱ係数を更新（５１２）してもよい。例えば、ホームｅノードＢ３０６は、第１のＱ係数と第２のＱ係数との平均値を用いて、第１のＱ係数を更新（５１２）してもよい。あるいは、ホームｅノードＢ３０６は、第１のＱ係数を第２のＱ係数の値に更新（５１２）してもよい。
【００６１】
ホームｅノードＢ３０６は、上記時間帯の終わりに第１のＱ係数を更新（５１２）してもよい。第２の基地局も、上記時間帯の終わりに第２のＱ係数を更新してもよい。例えば、第２の基地局がｅノードＢ３０２である場合、ｅノードＢ３０２は、ホームｅノードＢ３０６が第１のＱ係数の値を更新（５１２）するのと同じ時刻に、第２のＱ係数の値を更新してもよい。あるいは、第２の基地局は、第２のＱ係数をインクリメントして第１のＱ係数に近づけることによって、第２のＱ係数の値を更新してもよい。ホームｅノードＢ３０６は、更新済みの第１のＱ係数を用いてホームｅノードＢ３０６の周囲の再選択領域３０６を再度規定してもよい。第１のＱ係数および第２のＱ係数をインクリメントすることによって正のフィードバックループが生じないことを保障するための調整が行われてもよい。例えば、第１のＱ係数および第２のＱ係数の各Ｑ係数は、システムの振る舞いが不安定になってカバレッジの穴やカバレッジ領域が重なるといった結果を生じないように、変更されてもよい。
【００６２】
図６は、１つのｅノードＢ６０２、複数のホームｅノードＢ６０６、および複数のＵＥ６０４を含む無線通信システム６００のブロック図である。第１のホームｅノードＢ６０６ａは、ｅノードＢ６０２から距離ｄ１（６２０）だけ離れたところに位置している。第１のホームｅノードＢ６０６ａには、その周囲に半径ｒHeNBa６１６で定まる再選択領域６２６が規定されている。第１のホームｅノードＢ６０６ａの周囲の再選択領域６２６の内部に位置する１台以上のＵＥ６０４は、第１のホームｅノードＢ６０６ａに接続してもよい。第２のホームｅノードＢ６０６ｂは、ｅノードＢ６０２から距離ｄ２（６２２）だけ離れたところに位置している。第２のホームｅノードＢ６０６ｂには、その周囲に半径ｒHeNBb６１８で定まる再選択領域６２４が規定されている。第２のホームｅノードＢ６０６ｂの周囲の再選択領域６２４の内部に位置する１台以上のＵＥ６０４は、第２のホームｅノードＢ６０６ｂに接続してもよい。各ホームｅノードＢ６０６は、ｅノードＢ６０２がカバーするセル３２０の内部に、同じだけの再選択領域をカバーすることが望ましい。したがって、各ホームｅノードＢ６０６の再選択領域を定める半径は、ｅノードＢ６０２のセル３２０を通じて一定であることが望ましい。
【００６３】
第１のホームｅノードＢ６０６ａおよび第２のホームｅノードＢ６０６ｂの双方が同一の伝送パイロット電力および同一のＱ係数を使用することによって各再選択領域を定める場合、半径ｒHeNBa６１６はｄ１（６２０）に応じた値でもよく、半径ｒHeNBb６１８はｄ２（６２２）に応じた値でもよい。これは、ｅノードＢ６０２の近くに位置するホームｅノードＢ６０６は、ｅノードＢ６０２から遠く離れて位置するホームｅノードＢ６０６よりも、ｅノードＢ６０２からの干渉を多く受けるからである。
【００６４】
各ホームｅノードＢ６０６は、ｅノードＢ６０２からの異なる干渉レベルを相殺して同一の伝送距離を維持するために、各ホームｅノードＢ６０６のＱ係数を調整するのではなく、パイロット伝送電力レベルを調整してもよい。各ホームｅノードＢ６０６の望ましい距離がｒであり、且つ、ホームｅノードＢ６０６から距離ｒの位置においてＵＥ３０４に必要な最低限の信号レベルがＰrであると仮定すると、受信電力は、式（１）によって見積もることができる。
【００６５】
【数１】
0005085786.tif 000002
【００６６】
ここで、Ｐcsg,pilotはホームｅノードＢ６０６のパイロット伝送電力であり、Ｐcsg,losses(r)はホームｅノードＢ６０６からＵＥ３０４までの距離ｒでの経路損失であり、ＰenB,interference(d)は、ホームｅノードＢ６０６から距離ｄに位置するｅノードＢ６０２によって引き起こされる干渉を示している。ＰenB,interference(d)は、式（２）によって見積もることができる。
【００６７】
【数２】
0005085786.tif 000003
【００６８】
ここで、Ｐenb,pilotはｅノードＢ６０２のパイロット伝送電力であり、Ｐenb,losses(d)はｅノードＢ６０２からＵＥ３０４までの距離ｄでの経路損失である。
【００６９】
これらの経路損失は、標準無線経路損失モデルを用いて得ることができる。経路損失モデルは、ホームｅノードＢ６０６とｅノードＢ６０２との間の距離、ｅノードＢ６０２の伝送電力、使用周波数等を用いたものであってもよい。単純な経路損失の式は、式（３）によって表される。
【００７０】
【数３】
0005085786.tif 000004
【００７１】
ここで、Ｌは損失（単位：ｄＢ）であり、ｎは経路損失指数（２から６までの可変値）であり、ｄは送信側から受信側までの距離であり、Ｃはシステム損失に相当する定数である。
【００７２】
あるいは、経路損失のより進んだ無線チャンネルモデルは、COST-Hataモデルであり、式（４）で表される。
【００７３】
【数４】
0005085786.tif 000005
【００７４】
Ｌはメジアン経路損失（median path loss：ｄＢ）であり、ｆは伝送周波数（ＭＨｚ）であり、ｈBは基地局のアンテナの有効高さであり、ｄはリンク距離（ｋｍ）であり、ＣHはCOST-Hataモデルで説明されている、移動局のアンテナ高に関する都会地域用の補正係数である。小中規模都市用の補正係数ＣHは、式（５）を用いて得ることができる。
【００７５】
【数５】
0005085786.tif 000006
【００７６】
大規模都市用の補正係数ＣHは、式６を用いて得ることができる。
【００７７】
【数６】
0005085786.tif 000007
【００７８】
ホームｅノードＢ６０６は、推定経路損失を計算したら、ホームｅノードＢ６０６の周囲の所定範囲をカバーするためにパイロット伝送電力を更新してもよい。したがって、ホームｅノードＢ６０６は、セルのパラメータに従って、再選択領域を定めるパイロット伝送電力を使用することによって、セル３２０の内部にある各ホームｅノードＢ６０６の再選択領域３１６のサイズが同一であることを確実にしてもよい。
【００７９】
現存の、または、将来開発される無線技術では、ホームｅノードＢ６０６がｅノードＢ６０２からの伝送を検出することができ、ｅノードＢ６０２が、一定の、または、既知の伝送電力を使用する場合、ホームｅノードＢ６０６は、受信したｅノードＢ６０２の伝送信号からＰenB,interference(d)の値を推定してもよい。そして、ホームｅノードＢ６０６は、上述した式（１）を用いてＰcsg,pilotを計算することにより、セル３２０内の他のホームｅノードＢ６０６と伝送距離が等しくなるように伝送距離を維持してもよい。
【００８０】
ホームｅノードＢ６０６がｅノードＢ６０２とホームｅノードＢ６０６との間の距離を見積もることができなく、且つ、ホームｅノードＢ６０６がｅノードＢ６０２からの伝送を検出できない場合、ホームｅノードＢ６０６は、ホームｅノードＢ６０６に接続している１以上のＵＥ３０４からの追加のフィードバックを要求してもよい。ホームｅノードＢ６０６に接続しているＵＥ３０４は、ｅノードＢ６０２からパイロット信号を受信してもよい。そして、ＵＥ３０４は、ｅノードＢ６０２から受信した基準信号受信電力をホームｅノードＢ６０６にフィードバックしてもよい。あるいは、ＵＥ３０４は、ｅノードＢ６０２からの基準信号受信電力を用いて、ＵＥ３０４とｅノードＢ６０２との間の距離を計算してもよい。そして、ＵＥ３０４は、計算した距離をホームｅノードＢ６０６にフィードバックしてもよい。
【００８１】
ホームｅノードＢ６０６がＵＥ３０４から基準信号受信電力を受信する場合、これを式（１）のＰenB,interference(d)として使用することにより、ホームｅノードＢ６０６の伝送パイロット電力Ｐcsg,pilotを見積もってもよい。ホームｅノードＢ６０６がｅノードＢ６０２とホームｅノードＢ６０６との間の距離を受信する場合、ホームｅノードＢ６０６は、その値を用いて式（２）のＰeNB,interference(d)を計算してもよい。式（３）の単純な経路損失の式、式（４）のCOST-Hataモデル、または別の経路損失モデルを用いて、これを行ってもよい。ここで述べた経路損失モデル以外のその他の経路損失モデルを用いてもよい。そして、ホームｅノードＢ６０６は、式（１）のＰeNB,interference(d)の値を用いて、セル３２０内の他のホームｅノードＢ６０６と伝送距離が同一となるように維持するような、ホームｅノードＢ６０６の伝送パイロット電力Ｐcsg,pilotを見積もってもよい。
【００８２】
図７は、セル３２０内にある複数のホームｅノードＢ６０６の伝送距離を一定に維持するための適応パイロット電力伝送の方法７００を示すフロー図である。ホームｅノードＢ６０６は、Ｑ係数およびホームｅノードＢ６０６のパイロット電力を用いて、ホームｅノードＢ６０６の周囲に再選択領域３１６を規定する（７０２）。ホームｅノードＢ６０６は、ホームｅノードＢ６０６とｅノードＢ６０２との間の経路損失を推定する（７０４）。ホームｅノードＢ６０６は、ホームｅノードＢ６０６とｅノードＢ６０２との間の経路損失に応じて、ホームｅノードＢ６０６のパイロット電力を更新することにより、ｅノードＢ６０２のセル３２０内にあるすべてのホームｅノードＢ６０６の再選択領域３１６が一定になるよう維持するようにしてもよい（７０６）。あるいは、ホームｅノードＢ６０６とｅノードＢ６０２との離間距離が既知である場合には、ホームｅノードＢ６０６は、その既知の離間距離に応じてパイロット電力を更新することにより、ｅノードＢ６０２のセル３２０内にあるすべてのホームｅノードＢ６０６の再選択領域３１６が一定になるよう維持してもよい。ホームｅノードＢ６０６とｅノードＢ６０２との離間距離は、コアネットワークから受信する情報から知るようにしてもよい。
【００８３】
図８は、セル３２０内にある複数のホームｅノードＢ６０６の伝送距離を一定に維持するための適応パイロット電力伝送の方法８００を示すフロー図である。ホームｅノードＢ６０６は、Ｑ係数およびホームｅノードＢ６０６のパイロット電力を用いて、ホームｅノードＢ６０６の周囲に再選択領域３１６を規定する（８０２）。そして、ホームｅノードＢ６０６は、ｅノードＢ６０２のパイロット電力を検出する（８０４）。ホームｅノードＢ６０６は、ｅノードＢ６０２のパイロット電力に起因する干渉を推定する（８０６）。そして、ホームｅノードＢ６０６は、セル３２０内にあるすべてのホームｅノードＢ６０６の再選択領域３１６を一定に維持するような、ホームｅノードＢ６０６のパイロット電力を決定する（８０８）。
【００８４】
図９は、セル３２０内にある複数のホームｅノードＢ６０６の伝送距離を一定に維持するための適応パイロット電力伝送の別の方法９００を示すフロー図である。ホームｅノードＢ６０６は、Ｑ係数およびホームｅノードＢ６０６のパイロット電力を用いて、ホームｅノードＢ６０６の周囲に再選択領域３１６を規定する（９０２）。ホームｅノードＢ４０４は、ホームｅノードＢ６０６の再選択領域３１６の内部にある１台以上のＵＥ３０４と接続を確立する（９０４）。ホームｅノードＢ６０６は、ホームｅノードＢ３０６とｅノードＢ６０２との離間距離に関する情報を１台以上のＵＥ３０４から受信するか、受信信号強度をｅノードＢ６０２から受信するか、または、その両方を行ってもよい（９０６）。ホームｅノードＢ３０６に接続しているＵＥ３０４とｅノードＢ３０２との間の距離がホームｅノードＢ３０６とｅノードＢ３０２との間の距離に略等しいくらいに、ＵＥ３０４が、ホームｅノードＢ３０６に十分に近く、ｅノードＢ３０２から十分に遠く離れているものと仮定する。ホームｅノードＢ６０６は、セル３２０内にあるすべてのホームｅノードＢ６０６の再選択領域を一定に維持するような、ホームｅノードＢ６０６のパイロット電力を決定してもよい。
【００８５】
図１０は、ホームｅノードＢ１００６の構成および設定を示すブロック図である。ホームｅノードＢ１００６は、現在のＱ係数であるＱHeNB１０３０を備えていてもよい。上述したように、ホームｅノードＢ１００６側から見たときにＱHeNB１０３０がホームｅノードＢ１００６の周囲の再選択領域３１６を規定するようになっていてもよい。ホームｅノードＢ１００６も、ｅノードＢ６０２から受信したＱ係数であるＱeNodeBを備えていてもよい。上述したように、ｅノードＢ６０２側から見たときにＱeNodeB１０３２がホームｅノードＢ１００６の周囲の再選択領域３１６を規定するようになっていてもよい。あるいは、ホームｅノードＢ１００６は、別のホームｅノードＢ（図示せず）から受信したＱ係数を備えていてもよい。
【００８６】
ホームｅノードＢ１００６は、Ｑ係数更新モジュール１０３４を備えていてもよい。Ｑ係数更新モジュール１０３４は、受信したＱ係数を用いて現在のＱ係数を更新してもよい。例えば、Ｑ係数更新モジュール１０３４は、ＱHeNB１０３０およびＱeNodeB１０３２を用いて、ＱHeNB１０３０を更新してもよい。Ｑ係数更新モジュール１０３４は、様々なアルゴリズムによって、ＱHeNB１０３０を更新することができる。
【００８７】
また、ホームｅノードＢ１００６は、１つ以上のＵＥ３０４と通信するために使用するホームｅノードＢのパイロット電力を備えていてもよい。さらに、ホームｅノードＢ１００６は、ｅノードＢとホームｅノードＢとの離間距離１０３８を含んでいてもよい。ｅノードＢとホームｅノードＢとの離間距離１０３８は、既知の値であってもよいし、ホームｅノードＢ１００６またはＵＥ３０４によって計算された値であってもよい。また、ホームｅノードＢ１００６は、受信ｅノードＢ信号強度１０４０を含んでもよい。ホームｅノードＢ１００６は、ｅノードＢ信号強度１０４０を直接検出してもよい。あるいは、ホームｅノードＢ１００６は、ｅノードＢ信号強度１０４０をすでに検出していたＵＥ３０４からｅノードＢ信号強度１０４０を受信してもよい。
【００８８】
ホームｅノードＢ１００６は、伝播損失計算モジュール１０４２を備えていてもよい。伝播損失計算モジュール１０４２は、上述した式（３）〜式（６）のような計算アルゴリズムを用いて、ｅノードＢ６０２の伝送信号によるＵＥ３０４における干渉を計算してもよい。また、ホームｅノードＢ１００６は、パイロット電力再計算モジュール１０４４を備えていてもよい。パイロット電力再計算モジュール１０４４は、上記ホームｅノードＢ１００６の再選択領域３１６がセル３２０内にある他のホームｅノードＢ１００６に比べて一定になるよう維持するようなホームｅノードＢパイロット電力１０３６を見積もってもよい。例えば、パイロット電力再計算モジュール１０４４は、上述した式１を用いて、ホームｅノードＢ１００６の再選択領域３１６を一定に維持するホームｅノードＢパイロット電力１０３６を見積もってもよい。
【００８９】
図１１は、上述したシステムおよび方法の一形態に係る無線通信装置１１０２のブロック図である。無線通信装置１１０２は、ｅノードＢ１０２、ＵＥ１０４、ホームｅノードＢ１０６等であってもよい。無線通信装置１１０２は、送信部１１１０および受信部１１１２が設けられた送受信部１１２０を備えている。送受信部１１２０は、１つ以上のアンテナ１１１８と接続されている。無線通信装置１１０２は、さらに、デジタルシグナルプロセッサ（ＤＳＰ）１１１４、汎用プロセッサ１１１６、メモリ１１０８、および通信インターフェース１１２４を備えていてもよい。無線通信装置１１０２の各種部材は、筐体１１２２の内部に設けられている。
【００９０】
プロセッサ１１１６は、無線通信装置１１０２の動作を制御する。また、プロセッサ１１１６は、ＣＰＵと呼ぶこともできる。メモリ１１０８は、リードオンリーメモリ（ＲＯＭ）であってもランダムアクセスメモリ（ＲＡＭ）であってもよく、命令１１３６ａおよびデータ１１３４ａをプロセッサ１１１６に供給する。メモリ１１０８の一部は、不揮発性ランダムアクセスメモリ（ＮＶＲＡＭ）であってもよい。メモリ１１０８は、電子情報を格納可能な任意の電子部品を含んでいてもよく、具体的には、ＲＯＭ、ＲＡＭ、磁気ディスク記憶媒体(magnetic disk storage media)、光学記憶媒体、フラッシュメモリ、プロセッサ１１１６に付属しているオンボードメモリ、ＥＥＰＲＯＭメモリ、レジスタ、ハードディスク(hard disk)、リムーバブルディスク(removable disk)、ＣＤ―ＲＯＭなどであってもよい。
【００９１】
メモリ１１０８は、プログラム命令１１３６ａおよび他の各種データ１１３４ａを記憶することができる。プロセッサ１１１６は、本明細書で開示されている全部または一部の方法を実装したプログラム命令１１３６ａを実行することができる。また、プロセッサ１１１６は、メモリ１１０８に格納されているデータ１１３４ａを用いて、本明細書で開示されている全部または一部の方法を実装することができる。結果として、プログラム命令１１３６ａおよびデータ１１３４ｂは、プロセッサ１１１６によってロードされ、且つ／または、その他の利用がなされる。
【００９２】
アンテナ１１１８は、開示されているシステムおよび方法に従って、ＵＥ１０４、ｅノードＢ１０２、またはホームｅノードＢ１０６といった近くの通信装置から伝送された信号を受信してもよい。アンテナ１１１８は、受信した信号を、信号をフィルタリングおよび増幅する送受信部１１２０に供給する。送受信部１１２０は、復調、デコード、フィルタリング、その他の目的で、信号をＤＳＰ１１１４および汎用プロセッサ１１１６に供給する。
【００９３】
無線通信装置１１０２の各種部材は、バスシステム１１２６によって接続されている。バスシステム１１２６としては、データバスに加え、電力バス、制御信号バス、状態信号バスを挙げることができる。ただし、明瞭さのために、バスシステム１１２６として各種バスは図１１に示している。
【００９４】
当業者は、前述の図１０および図１１に示す基地局とは異なる構成を実現することができる。
【００９５】
例えば、本発明に係る無線通信システムにおいて使用される基地局は、第１のユーザ装置（ＵＥ）に第１のオフセット係数を送信する送信ユニット（送信部１１１０）と、第２のＵＥから第２のオフセット係数を受信する受信ユニット（受信部１１１２）と、上記第２のオフセット係数を用いて上記第１のオフセット係数を変更する変更ユニット（プロセッサ１１１６）と、を備え、上記送信ユニットは、上記変更後の第１のオフセット係数を上記第１のＵＥに送信するようになっており、上記第１のオフセット係数は、ホームｅノードＢ（ＨｅＮＢ）の周囲の再選択領域を示している。
【００９６】
さらに、本発明に係る無線通信システムにおいて利用されるホームｅノードＢ（ＨｅＮＢ）は、上記ＨｅＮＢの周囲の再選択領域を示すＱ係数と上記ＨｅＮＢのパイロット電力とを用いて、上記ＨｅＮＢの周囲に上記再選択領域を規定する規定ユニットと、上記ＨｅＮＢとｅノードＢ（ｅＮｏｄｅＢ）との間における経路損失を推定する推定ユニットと、セル内のＨｅＮＢの再選択領域が一定に維持されるように、推定された上記経路損失を用いて上記ＨｅＮＢのパイロット電力を更新する更新ユニットと、を備えている。規定ユニット、推定ユニット、および更新ユニットは、プロセッサ内に個々のユニットとして含まれていもよいし、本出願の上記方法の工程群に含まれる機能群を実現するように全体として統合されていてもよい。
【００９７】
本明細書では、「決定する」という語は、広く様々な動作を包含している。したがって、「決定する」という語は、計算する、演算する、処理する、導出する、調査する、検索する（例えば、テーブル、データベース、その他のデータ構造を検索する）、確認する等の動作を包含し得る。同様に、「決定する」という語は、受信する（例えば、情報を受信する）、アクセスする（例えば、メモリ内のデータにアクセスする）等の動作を包含し得る。同様に、「決定する」という語は、解決する、切り替える、選択する、規定する等の動作を包含し得る。
【００９８】
「〜に基づいて」という語は、特に明記されていない限り、「〜のみに基づいて」ということを意味している訳ではない。換言すれば、「〜に基づいて」という語は、「〜のみに基づいて」および「少なくとも〜に基づいて」の両方を表している。
【００９９】
「プロセッサ」という語は、汎用プロセッサ、中央処理装置（ＣＰＵ）、マイクロプロセッサ、デジタルシグナルプロセッサ（ＤＳＰ）、コントローラ、マイクロコントローラ、状態マシン等を包含するように広く解釈されるべきである。状況によっては、「プロセッサ」が、ＡＳＩＣ（application specific integrated circuit）、プログラマブルロジックデバイス（ＰＬＤ）、ＦＰＧＡ（field programmable gate array）等を指すこともある。「プロセッサ」という語は、複数の処理デバイス（例えば、ＤＳＰとマイクロプロセッサとの組み合わせ、複数のマイクロプロセッサ、ＤＳＰコアと接続されている１つ以上のマイクロプロセッサ、その他の構成）を組み合わせたものを指してもよい。
【０１００】
「メモリ」という語は、電子情報を記憶することが可能な任意の電子部品を包含するように広く解釈すべきである。「メモリ」という語は、ランダムアクセスメモリ（ＲＡＭ）、リードオンリーメモリ（ＲＯＭ）、不揮発性ランダムアクセスメモリ（ＮＶＲＡＭ）、プログラマブルリードオンリメモリ（ＰＲＯＭ）、イレーサブルプログラマブルリードオンリメモリ（ＥＰＲＯＭ）、エレクトリカリーイレーサブルプログラマブルリードオンリメモリ（ＥＥＰＲＯＭ）、フラッシュメモリ、磁気データ記憶装置、光学データ記憶装置といった、プロセッサが読み込み可能な各種媒体のことを指してもよい。プロセッサがメモリからの情報の読み取りとメモリへの情報の書き込みとの少なくともいずれかを実行できる場合、メモリはプロセッサと電気的に通信しているということができる。メモリはプロセッサに統合されていてもよく、この場合もプロセッサと電気的に通信可能であると言える。
【０１０１】
「命令」および「コード」という語は、コンピュータ読み取り可能な任意の種類のステートメントを含むように広く解釈すべきである。例えば、「命令」および「コード」という語は、１つ以上のプログラム、ルーチン、サブルーチン、関数、手続等を指してもよい。「命令」および「コード」という語は、単一のコンピュータ読み取り可能なステートメントまたは多数のコンピュータ読み取り可能なステートメント群であってもよい。
【０１０２】
本明細書で記載されている機能は、ハードウェア、ソフトウェア、ファームウェア、またはこれらの組み合わせで実装されていてもよい。ソフトウェアで実装されている場合、機能は、コンピュータ読み取り可能な媒体に１つ以上の命令群として記憶されていてもよい。「コンピュータ読み取り可能な媒体」という語は、コンピュータによりアクセス可能な任意の利用可能な媒体を指している。例えば、これに限るわけではないが、「コンピュータ読み取り可能な媒体」は、ＲＡＭ、ＲＯＭ、ＥＥＰＲＯＭ、ＣＤ−ＲＯＭあるいはその他の光学ディスク記憶装置(optical disk storage device)、磁気ディスク記憶装置(magnetic disk storage device)あるいはその他の磁気ストレージ装置、または、所望のプログラムコードをコンピュータがアクセス可能な命令群またはデータ構造群の形式で保持または格納するのに使用可能な他の任意の媒体であってもよい。本明細書で用いられる「ディスク(disk)」および「ディスク(disc)」としては、コンパクトディスク（ＣＤ）、レーザーディスク、光学ディスク、ＤＶＤ（digital versatile disc）、フロッピー（登録商標）ディスク、ブルーレイディスクが挙げられる。ここで、「ディスク(disk)」は、通常、磁気的にデータを再生するものである一方、「ディスク(disc)」は、通常、レーザで光学的にデータを再生するものである。
【０１０３】
ソフトウェアまたは命令群は、伝送媒体を通じて伝送されてもよい。例えば、ウェブサイト、サーバ、その他のリモートソースから、同軸ケーブル、光ケーブル、ツイストペア、ＤＳＬ、または、赤外線、ラジオおよびマイクロ波といった無線技術を用いて、ソフトウェアが伝送される場合、同軸ケーブル、光ケーブル、ツイストペア、ＤＳＬ、または、赤外線、ラジオおよびマイクロ波といった無線技術が伝送媒体の定義に含まれる。
【０１０４】
本明細書で開示した方法は、記載されている方法を実現するための１つ以上のステップまたは動作を含んでいる。上記方法の１つ以上のステップおよび／または動作は、クレームの範囲から逸脱しなければ互いに入れ替え可能である。換言すれば、上記記載されている方法が適切に機能するためにステップまたは動作が特定の順序になっている必要がなければ、特定のステップおよび／または動作の順序および／または使用は、クレームの範囲から逸脱しない限り変更してもよい。
【０１０５】
クレームが上に示した形態および構成そのものに限定されないことを理解すべきである。クレームの範囲を逸脱しなければ、本明細書に記載したシステム、方法および装置の構成、動作および細部に対して様々な変更、変化および変形例を与えることができる。
【図１】
0005085786.tif 000008
【図２】
0005085786.tif 000009
【図３】
0005085786.tif 000010
【図４】
0005085786.tif 000011
【図５】
0005085786.tif 000012
【図６】
0005085786.tif 000013
【図７】
0005085786.tif 000014
【図８】
0005085786.tif 000015
【図９】
0005085786.tif 000016
【図１０】
0005085786.tif 000017
【図１１】
0005085786.tif 000018